(57)【要約】【課題】平衡信号の振幅バランスや位相バランスの良好な不平衡-平衡変換機能を備えた弾性波フィルタを提供する。【解決手段】３ＩＤＴのタイプの縦結合共振子（ＬＣＭＲ２、３）を二組備え、入出力信号の平衡-不平衡変換を行う弾性波フィルタ１において、平衡信号ポートとは位相の反転した信号が入出力される第２のＬＣＭＲ３は、中央ＩＤＴ電極３１の両外端に位置する電極指３１３と、外側ＩＤＴ電極３２ａ、３２ｂの中央ＩＤＴ電極３１寄り外端に位置する電極指３２３ａ、３２３ｂのうちの一方が接地側バスバー３１１に接続され、他方が信号ポートＰ０３側バスバー３１２に接続されている。【選択図】図１
2009239324.tif 000002
【特許請求の範囲】
【請求項１】
中央ＩＤＴ電極と、この中央ＩＤＴ電極に対して弾性波の伝播方向の両側に配置された外側ＩＤＴ電極と、を含む縦結合共振子を２組備え、これら縦結合共振子の双方の外側ＩＤＴ電極に接続された不平衡信号ポートと、一方側の縦結合共振子の中央ＩＤＴ電極に接続され、前記不平衡信号ポートと同相の信号が入出力される第１の平衡信号ポート及び、他方側の縦結合共振子の中央ＩＤＴ電極に接続され、前記第１の平衡信号ポートとは位相の反転した信号が入出力される第２の平衡信号ポートと、の間で入出力信号の平衡-不平衡変換が行われる弾性波フィルタにおいて、
前記各縦結合共振子の中央ＩＤＴ電極は奇数本の電極指を備え、
前記他方側の縦結合共振子は、
中央ＩＤＴ電極における電極指群の両側最外部位が弾性波の伝播方向に並ぶ２本の電極指により構成されると共にこれら２本の電極指が前記最外部位毎に同じバスバーに接続されるか、または外側ＩＤＴ電極における電極指群の最も中央ＩＤＴ電極寄りの部位のいずれもが弾性波の伝播方向に並ぶ２本の電極指により構成されると共にこれら２本の電極指が前記中央ＩＤＴ電極寄りの部位毎に同じバスバーに接続され、
中央ＩＤＴ電極の両外端に位置する電極指と、両外側ＩＤＴ電極における中央ＩＤＴ電極寄り外端に位置する電極指と、のうちの一方が接地側バスバーに接続され、他方が信号ポート側バスバーに接続されていることを特徴とする弾性波フィルタ。
【請求項２】
中央ＩＤＴ電極と、この中央ＩＤＴ電極に対して弾性波の伝播方向の両側に配置された外側ＩＤＴ電極と、を含む縦結合共振子を２組備え、これら縦結合共振子の双方の中央ＩＤＴ電極に接続された不平衡信号ポートと、一方側の縦結合共振子の外側ＩＤＴ電極に接続され、前記不平衡信号ポートと同相の信号が入出力される第１の平衡信号ポート及び、他方側の縦結合共振子の外側ＩＤＴ電極に接続され、前記第１の平衡信号ポートとは位相の反転した信号が入出力される第２の平衡信号ポートと、の間で入出力信号の平衡-不平衡変換が行われる弾性波フィルタにおいて、
前記各縦結合共振子の中央ＩＤＴ電極は奇数本の電極指を備え、
前記他方側の縦結合共振子は、
中央ＩＤＴ電極における電極指群の両側最外部位が弾性波の伝播方向に並ぶ２本の電極指により構成されると共にこれら２本の電極指が前記最外部位毎に同じバスバーに接続されるか、または外側ＩＤＴ電極における電極指群の最も中央ＩＤＴ電極寄りの部位のいずれもが弾性波の伝播方向に並ぶ２本の電極指により構成されると共にこれら２本の電極指が前記中央ＩＤＴ電極寄りの部位毎に同じバスバーに接続され、
中央ＩＤＴ電極の両外端に位置する電極指と、両外側ＩＤＴ電極における中央ＩＤＴ電極寄り外端に位置する電極指と、のうちの一方が接地側バスバーに接続され、他方が信号ポート側バスバーに接続されていることを特徴とする弾性波フィルタ。
【請求項３】
中央ＩＤＴ電極と、この中央ＩＤＴ電極に対して弾性波の伝播方向の両側に配置された外側ＩＤＴ電極と、を含む縦結合共振子を２組備え、これら縦結合共振子の双方の外側ＩＤＴ電極に接続された不平衡信号ポートと、一方側の縦結合共振子の中央ＩＤＴ電極に接続され、前記不平衡信号ポートと同相の信号が入出力される第１の平衡信号ポート及び、他方側の縦結合共振子の中央ＩＤＴ電極に接続され、前記第１の平衡信号ポートとは位相の反転した信号が入出力される第２の平衡信号ポートと、の間で入出力信号の平衡-不平衡変換が行われる弾性波フィルタにおいて、
前記各縦結合共振子の中央ＩＤＴ電極は偶数本の電極指を備え、
前記他方側の縦結合共振子は、
中央ＩＤＴ電極における電極指群の一方の片側最外部位の電極指と他方の片側最外部位の電極指とが、互いに異なるバスバーに接続され、
一方の片側最外部位及び他方の片側最外部位のいずれもが弾性波の伝播方向に並ぶ２本の電極指により構成されると共にこれら２本の電極指が前記最外部位毎に同じバスバーに接続されるか、または一方の外側ＩＤＴ電極における電極指群の最も中央ＩＤＴ電極寄りの部位及び他方の外側ＩＤＴ電極における電極指群の最も中央ＩＤＴ電極寄りの部位のいずれもが弾性波の伝播方向に並ぶ２本の電極指により構成されると共にこれら２本の電極指が前記中央ＩＤＴ電極寄りの部位毎に同じバスバーに接続され、
中央ＩＤＴ電極の両外端に位置する電極指と、両外側ＩＤＴ電極における中央ＩＤＴ電極寄り外端に位置する電極指と、のうちの一方が接地側バスバーに接続され、他方が信号ポート側バスバーに接続されていることを特徴とする弾性波フィルタ。
【請求項４】
中央ＩＤＴ電極と、この中央ＩＤＴ電極に対して弾性波の伝播方向の両側に配置された外側ＩＤＴ電極と、を含む縦結合共振子を２組備え、これら縦結合共振子の双方の中央ＩＤＴ電極に接続された不平衡信号ポートと、一方側の縦結合共振子の外側ＩＤＴ電極に接続され、前記不平衡信号ポートと同相の信号が入出力される第１の平衡信号ポート及び、他方側の縦結合共振子の外側ＩＤＴに接続され、前記第１の平衡信号ポートとは位相の反転した信号が入出力される第２の平衡信号ポートと、の間で入出力信号の平衡-不平衡変換が行われる弾性波フィルタにおいて、
前記各縦結合共振子の中央ＩＤＴ電極は偶数本の電極指を備え、
前記他方側の縦結合共振子は、
中央ＩＤＴ電極における電極指群の一方の片側最外部位の電極指と他方の片側最外部位の電極指とが、互いに異なるバスバーに接続され、
一方の片側最外部位及び他方の片側最外部位のいずれもが弾性波の伝播方向に並ぶ２本の電極指により構成されると共にこれら２本の電極指が前記最外部位毎に同じバスバーに接続されるか、または一方の外側ＩＤＴ電極における電極指群の最も中央ＩＤＴ電極寄りの部位及び他方の外側ＩＤＴ電極における電極指群の最も中央ＩＤＴ電極寄りの部位のいずれもが弾性波の伝播方向に並ぶ２本の電極指により構成されると共にこれら２本の電極指が前記中央ＩＤＴ電極寄りの部位毎に同じバスバーに接続され、
中央ＩＤＴ電極の両外端に位置する電極指と、両外側ＩＤＴ電極における中央ＩＤＴ電極寄り外端に位置する電極指とのうちの一方が接地側バスバーに接続され、他方が信号ポート側バスバーに接続されていることを特徴とする弾性波フィルタ。
【発明の詳細な説明】
【技術分野】
【０００１】
本発明は、携帯電話等の移動体端末に実装されて高周波信号を弁別するＳＡＷ（Surface Acoustic Wave）等の弾性波フィルタに係り、特に入出力信号を不平衡-平衡変換する技術に関する。
【背景技術】
【０００２】
図２０は携帯電話等の移動体端末のフロントエンド部８の構成例を示しており、当該例においてはアンテナ８１の直下にアンテナスイッチ８２が配置され、このアンテナスイッチ８２には受信側フィルタ８３と送信側フィルタ８６とが並列に接続されている。受信側フィルタ８３は、整合回路８４を介して送信アンプであるＬＮＡ（Low Noise Amplifier）８５に接続されており、受信側フィルタ８３にて濾波された受信信号を移動体端末の本体側へと出力するよう構成されている。一方、送信側フィルタ８６には整合回路８７を介して送信アンプであるＰＡ（Power Amplifier）８８が接続されており、受信信号との弁別を行いながら送信信号をアンテナ８１へと出力することができる。
【０００３】
図２０に示した移動体端末においては、アンテナ８１には不平衡信号が入出力される一方で、各フィルタ８３、８６以降の後段のＲＦ部ではノイズに強い平衡信号が入出力されるため、フィルタ８３、８６は平衡-不平衡変換機能を備えている。図２１はこのような平衡-不平衡変換機能を備えたフィルタ（バランス駆動型フィルタという）の構成例を示している。このフィルタは弾性波フィルタの一種であって、ＬｉＴａＯ３やＬｉＮｂＯ３、水晶等からなる圧電基板上を伝わるＳＡＷ（弾性表面波）を利用して濾波を行うＳＡＷフィルタ１００として構成されている。なお、以下の本明細書の説明に用いるＳＡＷフィルタの平面図においては、圧電基板の記載を省略することがある。
【０００４】
図２１に示したＳＡＷフィルタ１００は、２組の縦結合共振子（Longitudinal Coupled Mode Resonator；以下、ＬＣＭＲと略記する）２、３を共通の不平衡信号ポートＰ０１に並列に接続するとともに、各々のＬＣＭＲ２、３を第１の平衡信号ポートＰ０２、第２の平衡信号ポートＰ０３に接続した構成となっている。
【０００５】
ここで図２１に向かって左側のＬＣＭＲを第１のＬＣＭＲ２、右側を第２のＬＣＭＲ３と呼ぶと、これら２つのＬＣＭＲ２、３は、対向する２本のバスバーに多数の電極指を交差指状に接続して構成される周知のＩＤＴ（InterDigital Transducer）電極をＳＡＷの伝播方向に３つ配置した３ＩＤＴタイプのＬＣＭＲとして構成されている。より詳細には、例えば第１のＬＣＭＲ２は中央に配置された中央ＩＤＴ電極である中央電極２１と、この中央電極２１の左右外側に配置された外側ＩＤＴ電極である一対の外側電極２２ａ、２２ｂと、これら外側電極２２ａ、２２ｂの更に左右外側に配置された反射器２３ａ、２３ｂとから構成されている。
【０００６】
これらの電極２１、２２ａ、２２ｂや反射器２３ａ、２３ｂは、圧電基板上に例えばアルミニウム等の薄膜金属でパターニングすることにより形成され、一方側のバスバー２１２は第１の平衡信号ポートＰ０２と接続され、他方側のバスバー２１１は接地されている。また一対の外側電極２２ａ、２２ｂ夫々に設けられた一方側のバスバー２２１ａ、２２１ｂは不平衡信号ポートＰ０１に接続される一方で、他方側のバスバー２２２ａ、２２２ｂは接地されている。反射器２３ａ、２３ｂは第１のＬＣＭＲ２の外側方向に伝播したＳＡＷを内側の電極２１、２２ａ、２２ｂへと反射する役割を果たす。なお、図２１に示したＩＤＴ電極２１、２２ａ、２２ｂは、簡略化して表記してあり、各ＩＤＴ電極２１、２２ａ、２２ｂは例えば２０本〜８０本程度の電極指２１３、２１４、２２３ａ、２２４ａ、２２３ｂ、２２４ｂを備えている。また中央電極２１の対向するバスバー２１１、２１２間に接続されている電極指２１３、２１４の数は、例えば一方側が他方側よりも１本多く、合計で奇数本になっている。
【０００７】
このような構成を備える第１のＬＣＭＲ２に印加する信号の周波数を変化させると、異なる周波数にてＳＡＷの伝播方向（縦方向という）に複数の振動モードが励起され、これらのモードの周波数差を利用することにより、第１のＬＣＭＲ２単体で所定の帯域の周波数信号を通過させる縦結合モードフィルタを構成することができる。一方、図２１に向かって右側に配置されている第２のＬＣＭＲ３についても前述の第１のＬＣＭＲ２とほぼ同様の構成を備えた縦結合モードフィルタとして構成されているが、第２のＬＣＭＲ３の中央電極３１は、第１のＬＣＭＲ２の中央電極２１を圧電基板上で水平方向に１８０°回転させ、第１のＬＣＭＲ２では接地されていたバスバー２１１に相当するバスバー３１２が第２の平衡信号ポートＰ０３と接続される一方、第１のＬＣＭＲ２では第１の平衡信号ポートＰ０２と接続されていたバスバー２１２に相当するバスバー３１１が接地されている点が異なっている。
【０００８】
このような２つのＬＣＭＲ２、３を備えるＳＡＷフィルタ１００にて周波数信号の平衡-不平衡変換が行われる原理について図２２、図２３を参照しながら説明する。図２２（ａ）は、第１のＬＣＭＲ２の中央電極２１と外側電極２２ａとが隣接して配置されている領域を拡大して模式的に表示した平面図であり、図２２（ｂ）はその縦断面図である。例えば図２０に示した受信側の受信側フィルタ８３について考えてみると、今、第１のＬＣＭＲ２の通過帯域内の周波数を持つ不平衡信号が不平衡信号ポートＰ０１に印加されているとすると、この周波数信号は不平衡信号ポートＰ０１に接続されたバスバー２２１ａの電極指２２３ａと、接地されたバスバー２２２ａの電極指２２４ａとの間で電気-機械変換されて、圧電基板１０１表面にＳＡＷが励振される。
【０００９】
図２２（ｂ）には、例えばバスバー２２１ａに正の振幅を持つ周波数信号が印加されたある時点において、圧電基板１０１の各位置を伝播しているＳＡＷ１０２の振幅を模式的に示してある。外側電極２２ａでは、例えば図２２（ｂ）に示すように不平衡信号ポートＰ０１側の電極指２２３ａと接地されている電極指２２４ａとの中心間隔「ｄ１」がＳＡＷ１０２の半波長「（１／２）λ」と等しくなっており、不平衡信号ポートＰ０１側の各電極指２２４ａより圧電基板１０１内を伝播するＳＡＷ１０２に対して同位相の機械エネルギーが供給され、強力なＳＡＷ１０２が励振されている。
【００１０】
一方、例えば中央電極２１は外側電極２２ａの外端の外側電極２２ａから例えばＳＡＷ１０２の半波長分だけ離れた位置に中央電極２１の外端の電極指２１３が位置するように配置されており、接地されているバスバー２１１側の電極指２１３と、第１の平衡信号ポートＰ０２側のバスバー２１２の電極指２１４との間隔「ｄ２」が例えばＳＡＷ１０２の半波長と同じ間隔となるように構成されている。
【００１１】
このとき、接地されている電極指２１３では不平衡信号ポートＰ０１に印加された周波数信号とは位相が１８０°ずれた（位相が反転した）ＳＡＷ１０２が機械-電気変換されるが、当該電極指２１３は接地されているため、この位相のずれた周波数信号は出力されない。これに対して第１の平衡信号ポートＰ０２側の各電極指２１４においては不平衡信号ポートＰ０１に印加される周波数信号と同位相のＳＡＷ１０２が機械-電気変換されて周波数信号として第１の平衡信号ポートＰ０２へと出力される。なお、図２２（ｂ）に示した「（＋）、（０）」の符号は、各電極指２１３、２１４、２２３ａ、２２４ａの相対的な電位を示している。
【００１２】
以上に説明した現象は拡大図示を省略した右側の外側電極２２ｂと中央電極２１との間でも発生している。また、第１のＬＣＭＲ２、第２のＬＣＭＲ３には既述のように複数種類の振動モードが励振されるが、説明を簡単にするため図２２（ｂ）においては不平衡信号ポートＰ０１に印加された周波数信号と同じ周波数を持つＳＡＷ１０２のみを模式的に表示してある。更に、縦結合モードフィルタにおいては、２つの振動モード間の周波数差を大きくとって帯域幅を広げるため、バスバー２２１ａ、２２２ａ、２１１、２１２の間隔「ｄ１、ｄ２」を例えば約４分の１波長ずらすことがある。これに対して図２２（ａ）、図２２（ｂ）に示した例では、不平衡信号ポートＰ０１に印加された周波数信号と同位相の信号が出力される原理を分かり易くするため、既述のようにバスバー２２１ａ、２２２ａ、２１１、２１２の間隔「ｄ１、ｄ２」をＳＡＷ１０２の半波長分の長さと等しくした場合について例示した。
【００１３】
このような第１のＬＣＭＲ２の作用に対し、第２のＬＣＭＲ３の作用について図２３（ａ）、図２３（ｂ）を参照しながら説明すると、外側電極３２ａでは既述の第１のＬＣＭＲ２と同様の作用によって不平衡信号ポートＰ０１に印加された周波数信号が電気-機械変換されてＳＡＷ１０３が励振される。これに対して中央電極３１は、第１のＬＣＭＲ２側の中央電極２１を圧電基板１０１上で１８０°回転させた構造となっている。このため図２２（ｂ）に示すように不平衡信号ポートＰ０１に印加された周波数信号と同位相のＳＡＷ１０３が接地されている電極指３１４にて機械-電気変換されるため周波数信号としては出力されず、周波数信号とは位相の反転したＳＡＷ１０３が第２の平衡信号ポートＰ０３と接続された電極指３１３にて機械-電気変換されて周波数信号として出力される。なお「（＋）、（−）、（０）」の符号は、各電極指３１３、３１４、３２３ａ、３２４ａの相対的な電位を示している。
【００１４】
こうした第１のＬＣＭＲ２、第２のＬＣＭＲ３夫々の作用により、不平衡信号ポートＰ０１に印加された周波数信号は、第１のＬＣＭＲ２を経て当該周波数信号と同位相の周波数信号として第１の平衡信号ポートＰ０２より出力され、また第２のＬＣＭＲ３を経て前記周波数信号とは位相の反転した周波数信号として第２の平衡信号ポートＰ０３より出力されることにより、周波数信号の不平衡-平衡変換がなされる。またこのようなＳＡＷフィルタ１００の作用は、図２０に示した送信側の送信側フィルタ８６において平衡信号を不平衡信号に変換する場合も同様であり、第１の平衡信号ポートＰ０２に入力された周波数信号は同位相のまま第１のＬＣＭＲ２より不平衡信号ポートＰ０１へと出力され、第２の平衡信号ポートＰ０３に入力された周波数信号の位相を反転させた状態で第２のＬＣＭＲ３より不平衡信号ポートＰ０１へと出力されることにより、第１のＬＣＭＲ２、第２のＬＣＭＲ３夫々から出力された周波数信号の位相を一致させる平衡-不平衡変換がなされる。
【００１５】
こうした不平衡-平衡変換機能を備えるＳＡＷフィルタ１００において、例えば不平衡信号ポートＰ０１に入力された不平衡信号を平衡信号に変換して第１の平衡信号ポートＰ０２、第２の平衡信号ポートＰ０３より出力する場合には、第１の平衡信号ポートＰ０２より出力される周波数信号と第２の平衡信号ポートＰ０３より出力される周波数信号とは、ＳＡＷフィルタ１００の通過帯域の何れの周波数においても、互いに振幅の大きさが等しく（以下、「振幅バランスがとれている」という）、位相が正確に反転している（以下、「位相バランスがとれている」という）関係にあることが理想的である。第１の平衡信号ポートＰ０２、第２の平衡信号ポートＰ０３より出力される平衡信号がこのような理想的な状態からずれている場合には、第１のＬＣＭＲ２または第２のＬＣＭＲ３のいずれかで例えば電気-機械変換の変換効率や励起した振動モードの相異等の理由によりＳＡＷフィルタ１００の挿入損失が大きくなっていることを示している。
【００１６】
しかしながら実際には第１の平衡信号ポートＰ０２、Ｐ０３より出力される平衡信号が完全に理想的な関係となるようなＳＡＷフィルタを製作することは困難であって、図２１に示したＳＡＷフィルタ１００においても位相バランスのとれた状態から最大で１．５ｄＢ程度の振幅の差があり、また位相バランスのとれた状態からは最大で１５°程度位相がずれてしまうことが確認されている。従来であれば、この程度の振幅バランスや位相バランスのずれは、ＳＡＷフィルタ１００の実用上大きな問題とはなっていなかったが、最近の移動体端末では低消費電力の要求がますます高くなってきており、また移動体端末の小型化、即ちアンテナの小型化による受信電波の微弱化といった理由からも、より挿入損失の小さなバランス駆動型のＳＡＷフィルタの開発が望まれている。
【００１７】
ここで特許文献１には、３ＩＤＴタイプのＬＣＭＲを２組備えたバランス駆動型ＳＡＷフィルタについて平衡信号の振幅バランス及び位相バランスを改善する技術が記載されている。しかしながら、当該技術はＩＤＴ電極同士の配置間隔を調整するものであり、後述のように隣り合うＩＤＴ電極の電極指の配列の仕方によって振幅バランスや位相バランスを改善する本発明とは課題を解決する手段が異なっている。
【００１８】
また特許文献２には、３ＩＤＴタイプのＬＣＭＲを２段縦接続し、この２段縦接続されたＬＣＭＲを２組配置して、合計４つのＬＣＭＲを備えたバランス駆動型ＳＡＷフィルタについて、平衡信号の振幅バランス及び位相バランスを改善するために、特定の２つのＩＤＴ電極間で接地された電極指の数が互いに同数となるようにしたＳＡＷフィルタが記載されている。しかし本発明に係るＳＡＷフィルタは２段縦接続構造を採用しておらず適用対象が異なると共に、接地された電極指の数を同数にするといった手法は採用していない。
【００１９】
このほか特許文献３には、５ＩＤＴタイプのバランス駆動型ＳＡＷフィルタにおいて、信号が入出力されるバスバーに接続された電極指同士が隣り合わないように、１つのＩＤＴ電極に浮き電極指を設けることによりリップルの発生を抑制する技術が記載されている。しかしながら当該技術は、３ＩＤＴタイプのバランス型ＳＡＷフィルタの振幅バランス、位相バランスを改善する本発明とは適用対象及び目的が異なると共に、後述のように本発明においては課題を解決する手段として浮き電極は採用していない。
【００２０】
【特許文献１】特開２００２−２９０２０５号公報：第００３２段落〜第００３４段落、図１
【特許文献２】特許３８５５７５８号公報：第００２３段落、第００２９段落、図１
【特許文献３】特開２００６−２５４４１０号公報：第００３５段落、図１
【発明の開示】
【発明が解決しようとする課題】
【００２１】
本発明はこのような事情に基づいて行われたものであり、その目的は、平衡信号の振幅バランスや位相バランスの良好な不平衡-平衡変換機能を備えた弾性波フィルタを提供することにある。
【課題を解決するための手段】
【００２２】
本発明に係わる弾性波フィルタは、中央ＩＤＴ電極と、この中央ＩＤＴ電極に対して弾性波の伝播方向の両側に配置された外側ＩＤＴ電極と、を含む縦結合共振子を２組備え、これら縦結合共振子の双方の外側ＩＤＴ電極に接続された不平衡信号ポートと、一方側の縦結合共振子の中央ＩＤＴ電極に接続され、前記不平衡信号ポートと同相の信号が入出力される第１の平衡信号ポート及び、他方側の縦結合共振子の中央ＩＤＴ電極に接続され、前記第１の不平衡信号ポートとは位相の反転した信号が入出力される第２の平衡信号ポートと、の間で入出力信号の平衡-不平衡変換が行われる弾性波フィルタにおいて、
前記各縦結合共振子の中央ＩＤＴ電極は奇数本の電極指を備え、
前記他方側の縦結合共振子は、
中央ＩＤＴ電極における電極指群の両側最外部位が弾性波の伝播方向に並ぶ２本の電極指により構成されると共にこれら２本の電極指が前記最外部位毎に同じバスバーに接続されるか、または外側ＩＤＴ電極における電極指群の最も中央ＩＤＴ電極寄りの部位のいずれもが弾性波の伝播方向に並ぶ２本の電極指により構成されると共にこれら２本の電極指が前記中央ＩＤＴ電極寄りの部位毎に同じバスバーに接続され、
中央ＩＤＴ電極の両外端に位置する電極指と、両外側ＩＤＴ電極における中央ＩＤＴ電極寄り外端に位置する電極指と、のうちの一方が接地側バスバーに接続され、他方が信号ポート側バスバーに接続されていることを特徴とする。
【００２３】
次いで、第２の発明に係わる弾性波フィルタは、中央ＩＤＴ電極と、この中央ＩＤＴ電極に対して弾性波の伝播方向の両側に配置された外側ＩＤＴ電極と、を含む縦結合共振子を２組備え、これら縦結合共振子の双方の中央ＩＤＴ電極に接続された不平衡信号ポートと、一方側の縦結合共振子の外側ＩＤＴ電極に接続され、前記不平衡信号ポートと同相の信号が入出力される第１の平衡信号ポート及び、他方側の縦結合共振子の外側ＩＤＴ電極に接続され、前記第１の平衡信号ポートとは位相の反転した信号が入出力される第２の平衡信号ポートと、の間で入出力信号の平衡-不平衡変換が行われる弾性波フィルタにおいて、
前記各縦結合共振子の中央ＩＤＴ電極は奇数本の電極指を備え、
前記他方側の縦結合共振子は、
中央ＩＤＴ電極における電極指群の両側最外部位が弾性波の伝播方向に並ぶ２本の電極指により構成されると共にこれら２本の電極指が前記最外部位毎に同じバスバーに接続されるか、または外側ＩＤＴ電極における電極指群の最も中央ＩＤＴ電極寄りの部位のいずれもが弾性波の伝播方向に並ぶ２本の電極指により構成されると共にこれら２本の電極指が前記中央ＩＤＴ電極寄りの部位毎に同じバスバーに接続され、
中央ＩＤＴ電極の両外端に位置する電極指と、両外側ＩＤＴ電極における中央ＩＤＴ電極寄り外端に位置する電極指と、のうちの一方が接地側バスバーに接続され、他方が信号ポート側バスバーに接続されていることを特徴とする。
【００２４】
また、第３の発明に係わる弾性波フィルタは、中央ＩＤＴ電極と、この中央ＩＤＴ電極に対して弾性波の伝播方向の両側に配置された外側ＩＤＴ電極と、を含む縦結合共振子を２組備え、これら縦結合共振子の双方の外側ＩＤＴ電極に接続された不平衡信号ポートと、一方側の縦結合共振子の中央ＩＤＴ電極に接続され、前記不平衡信号ポートと同相の信号が入出力される第１の平衡信号ポート及び、他方側の縦結合共振子の中央ＩＤＴ電極に接続され、前記第１の平衡信号ポートとは位相の反転した信号が入出力される第２の平衡信号ポートと、の間で入出力信号の平衡-不平衡変換が行われる弾性波フィルタにおいて、
前記各縦結合共振子の中央ＩＤＴ電極は偶数本の電極指を備え、
前記他方側の縦結合共振子は、
中央ＩＤＴ電極における電極指群の一方の片側最外部位の電極指と他方の片側最外部位の電極指とが、互いに異なるバスバーに接続され、
一方の片側最外部位及び他方の片側最外部位のいずれもが弾性波の伝播方向に並ぶ２本の電極指により構成されると共にこれら２本の電極指が前記最外部位毎に同じバスバーに接続されるか、または一方の外側ＩＤＴ電極における電極指群の最も中央ＩＤＴ電極寄りの部位及び他方の外側ＩＤＴ電極における電極指群の最も中央ＩＤＴ電極寄りの部位のいずれもが弾性波の伝播方向に並ぶ２本の電極指により構成されると共にこれら２本の電極指が前記中央ＩＤＴ電極寄りの部位毎に同じバスバーに接続され、
中央ＩＤＴ電極の両外端に位置する電極指と、両外側ＩＤＴ電極における中央ＩＤＴ電極寄り外端に位置する電極指と、のうちの一方が接地側バスバーに接続され、他方が信号ポート側バスバーに接続されていることを特徴とする。
【００２５】
更にまた、第４の発明に係わる弾性波フィルタは、中央ＩＤＴ電極と、この中央ＩＤＴ電極に対して弾性波の伝播方向の両側に配置された外側ＩＤＴ電極と、を含む縦結合共振子を２組備え、これら縦結合共振子の双方の中央ＩＤＴ電極に接続された不平衡信号ポートと、一方側の縦結合共振子の外側ＩＤＴ電極に接続され、前記不平衡信号ポートと同相の信号が入出力される第１の平衡信号ポート及び、他方側の縦結合共振子の外側ＩＤＴに接続され、前記第１の平衡信号ポートとは位相の反転した信号が入出力される第２の平衡信号ポートと、の間で入出力信号の平衡-不平衡変換が行われる弾性波フィルタにおいて、
前記各縦結合共振子の中央ＩＤＴ電極は偶数本の電極指を備え、
前記他方側の縦結合共振子は、
中央ＩＤＴ電極における電極指群の一方の片側最外部位の電極指と他方の片側最外部位の電極指とが、互いに異なるバスバーに接続され、
一方の片側最外部位及び他方の片側最外部位のいずれもが弾性波の伝播方向に並ぶ２本の電極指により構成されると共にこれら２本の電極指が前記最外部位毎に同じバスバーに接続されるか、または一方の外側ＩＤＴ電極における電極指群の最も中央ＩＤＴ電極寄りの部位及び他方の外側ＩＤＴ電極における電極指群の最も中央ＩＤＴ電極寄りの部位のいずれもが弾性波の伝播方向に並ぶ２本の電極指により構成されると共にこれら２本の電極指が前記中央ＩＤＴ電極寄りの部位毎に同じバスバーに接続され、
中央ＩＤＴ電極の両外端に位置する電極指と、両外側ＩＤＴ電極における中央ＩＤＴ電極寄り外端に位置する電極指とのうちの一方が接地側バスバーに接続され、他方が信号ポート側バスバーに接続されていることを特徴とする。
【発明の効果】
【００２６】
本発明によれば、弾性波フィルタ内に配置されている２つの縦結合共振子（ＬＣＭＲ）のいずれについても、当該ＬＣＭＲを構成する中央ＩＤＴ電極の両外端に位置する電極指と、両外側ＩＤＴ電極における中央ＩＤＴ電極寄り外端に位置する電極指と、のうちの一方が接地側バスバーに接続されており、他方が信号ポート側バスバーに接続されている。このように隣り合う電極指の一方側が必ず接地されていることにより、これらの電極指間で不要な容量が発生しにくくなり、例えば一方側のＬＣＭＲにおいて、双方の電極指が信号ポート側バスバーに接続されている場合に比べて２つのＬＣＭＲ間に発生する容量の差を小さくできる。この結果、これらのＬＣＭＲを通過する信号の振幅バランスや位相バランスのずれを抑制することが可能となって、挿入損失の小さな弾性波フィルタを構成することができる。
【発明を実施するための最良の形態】
【００２７】
本実施の形態に係るＳＡＷフィルタ１の具体的な構成を説明する前に、背景技術にて説明した従来型のＳＡＷフィルタ１００において、振幅バランスや位相バランスのずれが生じる理由の一つについて説明しておく。本発明者は、これら各バランスのずれが生じる原因について鋭意検討を行ったところ、第１のＬＣＭＲ２と第２のＬＣＭＲ３とでは周波数信号を印加した際に生じる容量が異なっているという知見を得た。そこで、発明者はこの容量の違いを引き起こす要因が振幅バランスや位相バランスのずれにも影響を与えているのではないかと考え、従来型のＳＡＷフィルタ１００の構造について詳細に検討を行った。
【００２８】
図２１〜図２３を用いて説明したように、従来型のＳＡＷフィルタ１００は第１のＬＣＭＲ２、第２のＬＣＭＲ３夫々を通過した周波数信号の互いの位相を反転させるため、構造の異なる中央電極２１、３１を採用している。本発明者は、不平衡-平衡変換を行うためのこうした第１のＬＣＭＲ２と第２のＬＣＭＲ３との構造の違いがこれらの間での容量の違いを生ずる原因となっているのではないかと考えた。即ち、図２２（ａ）に示したように第１のＬＣＭＲ２側の中央電極２１の外端には、接地された電極指２１３が配置されており、外側電極２２ａ（２２ｂ）の中央電極２１寄りの外端の電極指２２３ａ（２２３ｂ）は不平衡信号ポートＰ０１に接続されている。従って信号ポートＰ０１とグランドが隣り合い、信号ポートＰ０２もグランドと隣り合うような配置となっている。
【００２９】
一方第２のＬＣＭＲ３において、図２３（ａ）に示すように中央電極３１の外端に位置する電極指３１３は第２の平衡信号ポートＰ０３と接続され、外側電極３２ａ（３２ｂ）の中央電極２１寄りの外端の電極指３２３ａ（３２３ｂ）も不平衡信号ポートＰ０１と接続されている。この結果、第２のＬＣＭＲ３においては信号ポートＰ０１と信号ポートＰ０３はグランドを介さずに直接隣り合う配置となるため、上述の第１のＬＣＭＲ２で発生する容量と第２のＬＣＭＲ３で発生する容量とが異なる。
【００３０】
このように第１のＬＣＭＲ２と第２のＬＣＭＲ３との構造上の違いから、第１のＬＣＭＲ２、第２のＬＣＭＲ３夫々の容量が一致せず、振幅バランスや位相バランスのずれの原因となっているのではないかと本発明者は考えた。
【００３１】
そこで、以下に説明する本実施の形態に係るＳＡＷフィルタにおいては、中央電極と外側電極との間で容量の差異ができるだけ発生しない構成のＩＤＴ電極を採用し、これにより振幅バランスや位相バランスのずれを改善している。以下、図１〜図４を参照しながら実施の形態に係るＳＡＷフィルタ１の構成について説明する。以下の説明においては、例えば図１に示した不平衡信号ポートＰ０１へ入力され、第１のＬＣＭＲ２を経て第１の平衡信号ポートＰ０２から出力される周波数信号の振幅を「Ｓ２１」とし、不平衡信号ポートＰ０１より第２のＬＣＭＲ３を経て第２の平衡信号ポートＰ０３から出力される周波数信号の振幅を「Ｓ３１」としたとき、振幅バランスを「Ｓ２１−Ｓ３１」と定義する。また、第１の平衡信号ポートＰ０２より出力される周波数信号の位相を「ａｎｇ（Ｓ２１）」とし、第２の平衡信号ポートＰ０３より出力される周波数信号の位相を「ａｎｇ（Ｓ３１）」としたとき、位相バランスを「｜ａｎｇ（Ｓ２１）−ａｎｇ（Ｓ３１）｜−１８０」と定義する。
【００３２】
図１は、本実施の形態に係るＳＡＷフィルタ１の平面図を示しており、従来型のＳＡＷフィルタ１００と同じ機能を備える構成要素には、図２１に示したものと同じ符号を付してある。本実施の形態に係るＳＡＷフィルタ１は、３ＩＤＴタイプのＬＣＭＲ２、３を２組備えたバランス駆動型のＳＡＷフィルタ１として構成されており、特に第１のＬＣＭＲ２については図２１を用いて説明した従来型のＳＡＷフィルタ１００に備わっている第１のＬＣＭＲ２と同様の構成を備えているので詳細な説明は省略する。
【００３３】
但し、図２１に示した第１のＬＣＭＲ２と同様に、図１に示した第１のＬＣＭＲ２についても簡略化した表記をしてあり、実際には例えば外側電極２２ａ、２２ｂは、不平衡信号ポートＰ０１側のバスバー２２１ａ、２２１ｂに対して電極指２２３ａ、２２３ｂが例えば１７本接続されている。また、接地側のバスバー２２２ａ、２２２ｂには同様の電極指２２４ａ、２２４ｂが例えば１６本接続されていて、合計１６タップと不平衡信号ポートＰ０１側にプラス１本の電極指２２３ａ、２２４ａ、２２３ｂ、２２４ｂを備えたＩＤＴ電極２２ａ、２２ｂが構成されている。
【００３４】
また中央電極２１の接地側のバスバー２１１には電極指２１３が例えば３２本接続され、第１の平衡信号ポートＰ０２側のバスバー２１２には同様の電極指２１４が例えば３１本接続されている。そして当該中央電極２１の外端の電極指２１３は接地側となっている一方、外側電極２２ａ、２２ｂの中央電極２１寄りの外端の電極指２２３ａ、２２３ｂは不平衡信号ポートＰ０１側となっており、当該ポートＰ０１と接続されたこれらの電極指２２３ａ、２２３ｂはグランドに接地された中央電極２１側の外端の電極指２１３と隣り合う配置となっている。なお、反射器２３ａ、２３ｂは例えば中央電極２１や外側電極２２ａ、２２ｂと同じ幅の電極指がこれらの電極２２、２２ａ、２２ｂと同周期で配列された周知のグレーティング電極として構成されている。
【００３５】
この第１のＬＣＭＲ２に対し、もう一方側の第２のＬＣＭＲ３の外側電極３２ａ、３２ｂや反射器３３ａ、３３ｂについては、第１のＬＣＭＲ２の外側電極２２ａ、２２ｂ、反射器２３ａ、２３ｂと同様に構成されているので、説明を省略し、本実施の形態のポイントとなる中央電極３１の構成について詳細に説明する。
【００３６】
本実施の形態に係る第２のＬＣＭＲ３の中央電極３１は、既述の第１のＬＣＭＲ２側の各ＩＤＴ電極２１、２２ａ、２２ｂと同様に、例えば数μｍ幅の電極指３１３が例えば３４本接続され、第２の平衡信号ポートＰ０３側のバスバー３１２には同様の電極指３１４が例えば２９本接続されている。そして図２に示すように、中央電極３１の両側最外部位の２本の電極指３１３が同じ接地側のバスバー３１１に接続された構成となるよう、各電極指３１３、３１４を交差指状に配置してＩＤＴ電極３１を形成している。
【００３７】
このような実施の形態に係るＳＡＷフィルタ１の中央電極３１と、従来型のＳＡＷフィルタ１００の中央電極３１とを比較すると、従来型のＳＡＷフィルタ１００においては第２のＬＣＭＲ３の中央電極３１は、既述のように第１のＬＣＭＲ２の中央電極２１を圧電基板１０１上で水平方向に１８０°回転させた構成となっている。このため、図３（ａ）に黒塗りで示したように、第２の平衡信号ポートＰ０３側の電極指３１４が外端に位置する配置となってしまい、図２１や図２３（ａ）に示すように当該電極指３１４が不平衡信号ポートＰ０１に接続された外側電極３２ａ、３２ｂの電極指３２３ａ、３２３ｂと隣り合うこととなって不要な容量が発生する要因となっている。
【００３８】
従来技術におけるこのような問題点を解消するため、本実施の形態に係る第２のＬＣＭＲ３の中央電極３１においては、図３（ｂ）に示すように従来、不平衡信号ポートＰ０１側に接続されていた外端の電極指３１４をバスバー３１２から取り外して、接地側のバスバー３１１に接続した状態とすることにより接地側の電極指３１３が左右に２本ずつ飛び出した形状のＩＤＴ電極３１を構成している。この結果、図１に示したように当該中央電極３１の外端の電極指３１３が接地され、不平衡信号ポートＰ０１側に接続された外側電極２２ａ、２２ｂ側の外端の電極指２２３ａ、２２３ｂとは不要な容量を生じない配置とすることができる。
【００３９】
次に、以上の構成を備えた実施の形態に係るＳＡＷフィルタ１の作用について説明する。背景技術にて説明したケースと同様に、今、ＳＡＷフィルタ１の通過帯域内の周波数を持つ不平衡信号が不平衡信号ポートＰ０１に印加されているとすると、第１のＬＣＭＲ２では背景技術にて説明したように不平衡信号ポートＰ０１に印加される周波数信号と同位相の周波数信号が第１の平衡信号ポートＰ０２より出力される。
【００４０】
一方、中央電極３１においては、図４（ａ）、図４（ｂ）にも示すように、まず電極指３２３ａ（３２３ｂ）にて不平衡信号ポートＰ０１に印加された周波数信号と同位相のＳＡＷ１０３が励起され、圧電基板１０１を中央電極３１に向かって伝播する。そして中央電極３１の外端に配置されている電極指３１３においては、ＳＡＷ１０３は不平衡信号ポートＰ０１に印加された周波数信号に対して位相が反転しており、例えば図４（ｂ）に示したタイミングでＳＡＷ１０３が機械-電気変換されると、この電極指３１３にはマイナスの起電力が働く。しかしながら当該電極指３１３は接地されているため、この位相のずれた周波数信号は出力されない。またこの外端の電極指３１３には電荷がないため、当該電極指３１３と隣り合う外側電極３２ａ（３２ｂ）側の外端の電極指３２３ａ（３２３ｂ）との間で不要な容量は発生しない。
【００４１】
ＳＡＷ１０３が中央電極３１の内側へと更に伝播すると、外端から２本目以降の接地側の各電極指３１３においては不平衡信号ポートＰ０１に印加された周波数信号と同位相のＳＡＷ１０３が機械-電気変換されるが、これらの電極指３１３は接地されているため周波数信号としては出力されず、周波数信号とは位相の反転したＳＡＷ１０３のみが第２の平衡信号ポートＰ０３と接続された電極指３１４にて機械-電気変換されて周波数信号として出力されることとなる。
【００４２】
以上の作用説明からも分かるように、本実施の形態に係るＳＡＷフィルタ１は、不平衡信号ポートＰ０１に入力される不平衡信号を第１の平衡信号ポートＰ０２、第２の平衡信号ポートＰ０３より平衡信号として出力する従来のバランス駆動型のＳＡＷフィルタ１００と同様の機能を備えていることに加え、第１のＬＣＭＲ２、第２のＬＣＭＲ３のいずれにおいても中央電極２１、３１の外端の電極指２１３、３１３が接地され、外側電極２２ａ、２２ｂ、３２ａ、３２ｂの中央電極２１寄りの外端の電極指２２３ａ、２２３ｂ、３２３ａ、３２３ｂが不平衡信号ポートＰ０１と接続されているので、これらの隣り合う電極指２１３、３１３、２２３ａ、２２３ｂ、３２３ａ、３２３ｂ間に不要な容量が発生するのを防止し、２つのＬＣＭＲ２、３の容量をほぼ等しくすることができる。
【００４３】
ここで、上述の実施の形態に係るＳＡＷフィルタ１の第２のＬＣＭＲ３においては、図３（ａ）、図３（ｂ）を用いて説明したように、従来は第２の平衡信号ポートＰ０３側のバスバー３１２に接続されていた電極指３１４（図３（ａ））を取り外し、接地側のバスバー３１１に接続した構成（図３（ｂ））となっている。このため、従来型のＳＡＷフィルタ１００においては周波数信号として第２の平衡信号ポートＰ０３に出力されていたＳＡＷ１０３の機械エネルギーの一部が接地側へと逃げてしまい、例えば従来型のＳＡＷフィルタ１００の第２の平衡信号ポートＰ０３から出力される周波数信号と比較して、実施の形態に係る第２の平衡信号ポートＰ０３より出力される周波数信号の振幅が小さくなり、平衡信号の振幅バランスに影響を与える可能性があるともいえる。
【００４４】
しかしながら、本実施の形態における第２の平衡信号ポートＰ０３側のバスバー３１２には電極指３１４が例えば２９本接続されており、従来型の中央電極３１と比較しても９０％以上のバスバー３１２が残っている。このため従来型と比較して中央電極３１の構成を変更したことによる平衡信号の振幅バランスや位相バランスへの影響は小さく、むしろ中央電極３１、外側電極３２ａ、３２ｂ間にて不要な容量を発生しにくくして第１のＬＣＭＲ２と第２のＬＣＭＲ３との容量を揃えたことによる振幅バランスや位相バランスを改善する効果の方が大きいことは、後述する実施例中の実測データにおいても確認している。
【００４５】
本実施の形態に係るＳＡＷフィルタ１によれば以下の効果がある。ＳＡＷフィルタ１内に配置されている２つのＬＣＭＲ２、３のいずれについても、当該ＬＣＭＲ２、３を構成する中央電極３１の両外端に位置する電極指３１３と、両外側電極３２ａ、３２ｂにおける中央電極３１寄り外端に位置する電極指３２３ａ、３２３ｂと、のうちの一方が接地されているバスバー３１１ーに接続されており、他方が不平衡信号ポートＰ０１側のバスバー３２１ａ、３２１ｂに接続されている。このように隣り合う電極指３１３、３２３ａ、３２３ｂの一方側が必ず接地されていることにより、これらの電極指間で不要な容量が発生しにくくなり、従来型のＳＡＷフィルタ１００のように双方の電極指が信号の入出力される信号ポートＰ０１、Ｐ０３側のバスバー３１２、３２１ａ、３２１ｂに接続されている場合に比べて２つのＬＣＭＲ２、３間に発生する容量の差を小さくできる。この結果、これらのＬＣＭＲ２、３を通過する信号の振幅バランスや位相バランスのずれを抑制することが可能となって、挿入損失の小さなＳＡＷフィルタ１を構成することができる。
【００４６】
ここで、隣り合う電極指２１３、３１３、２２３ａ、２２３ｂ、３２３ａ、３２３ｂの一方側が必ず接地されるようにする手法は図１〜図４に記載したものに限定されない。例えば図５に示したＳＡＷフィルタ１ａのように、中央電極３１の外端に位置する電極指３１４（第２の平衡信号ポートＰ０３側のバスバー３１２に接続されている）に対して、外側電極３２ａ、３２ｂ側の中央電極３１寄りの外端の電極指３２４ａ、３２４ｂを接地側のバスバー３２２ａ、３２２ｂに接続するする構成としてもよい。
【００４７】
また例えば図６に示すように、電極指を２本追加可能な幅だけ第２のＬＣＭＲ３の外側電極３２ａ、３２ｂの配置間隔を広くして、第１のＬＣＭＲ２の中央電極２１と同じ構成を備えたＩＤＴ電極の左右外端の接地側に、電極指３１３を１本ずつ追加し、２本の電極指３１３からなる最外部位を構成し、この中央電極３１を外側電極３２ａ、３２ｂの間に配置してもよい。即ち、当該第２のＬＣＭＲ３側の中央電極３１は、図７（ａ）に一部を拡大図示した第１のＬＣＭＲ２側の中央電極２１に対して、図７（ｂ）に黒塗りで示した電極指３１３を接地されたバスバー３１１の左右外端部に１本ずつ追加接続した構成となっている。この場合にも図４（ａ）、図４（ｂ）を用いて説明したケースと同様の作用が得られ、不平衡信号ポートＰ０１に入力された周波数信号に対して位相の反転した周波数信号を第２の平衡信号ポートＰ０３より出力すると共に、中央電極３１の外端に位置する電極指３１３と、外側電極３２ａ（３２ｂ）側の中央電極３１寄りの外端の電極指３２３ａ（３２３ｂ）との間で不要な容量が発生しないようにすることができる。
【００４８】
更にまた、本発明が適用可能なＳＡＷフィルタの構成は、図１〜図７に示したＳＡＷフィルタ１、１ａ、１ｂのように外側電極２２ａ、２２ｂ、３２ａ、３２ｂを不平衡信号ポートＰ０１と接続し、中央電極３１、３２を夫々第１の平衡信号ポートＰ０２、第２の平衡信号ポートＰ０３と接続する構成に限定されるものではない。例えば図８に示すように、中央電極３１、３２を不平衡信号ポートＰ０１に接続し、第１のＬＣＭＲ２側の外側電極２２ａ、２２ｂを第１の平衡信号ポートＰ０２と、第２のＬＣＭＲ３側の外側電極３２ａ、３２ｂを第２の平衡信号ポートＰ０３と夫々接続したＳＡＷフィルタ１ｃにも本発明は適用することができる。
【００４９】
更に、以上に説明した技術を適用可能なＳＡＷフィルタのタイプは、中央電極２１、３１が奇数本の電極指２１３、２１４、３１３、３１４を備えるＳＡＷフィルタ１ａ、１ｂ、１ｃに限定されるものではない。例えば図９に示すように、第２のＬＣＭＲ３は左側最外部位を２本の電極指３１３で構成すると共に、当該最外部位の電極子３１３を接地側のバスバー３１１に接続する一方、右側最外部位を２本の電極指３１４で構成すると共に、当該最外部位の電極指３１４を第２の平衡信号ポートＰ０３側のバスバー３１２に接続した構造としてもよい。これにより中央電極３１の外端の電極指３１３、３１４と、外側電極３２ａ、３２ｂの中央電極３１寄りの電極指３２３ａ、３２４ｂのうち一方側が接地され、これらの電極指３１３、３２３ａ、３１４、３２４ｂの間で不要な容量を発生させないようにすることができる。
【００５０】
以上に例示したＳＡＷフィルタ１、１ａ〜１ｄの他にも、図１０（ａ）〜図１０（ｃ）、図１１（ａ）〜図１１（ｂ）、図１２（ａ）〜図１２（ｃ）並びに図１３（ａ）〜図１３（ｄ）に列挙した各ＳＡＷフィルタ１ｅ〜１ｐも、本発明の技術的範囲に含まれる。なお、これらの図においては図示の便宜上、反射器の記載を省略してある。
【００５１】
またさらに、本発明を適用可能なＳＡＷフィルタは、これまで説明してきた３ＩＤＴタイプのＬＣＭＲ２、３を２つ備えたタイプのものに限定されるものではなく、例えば背景技術にて引用した特許文献２に記載されている４つのＬＣＭＲを備えたバランス駆動型のＳＡＷフィルタにも適用可能である。また特許文献３に記載されている５ＩＤＴ型のバランス駆動型のＳＡＷフィルタに適用してもよい。これに加え、上述の各実施の形態においては、弾性波フィルタとしてＳＡＷを利用するタイプのフィルタについて説明したが、本発明に適用可能な弾性波フィルタの種類はこれに限られない。例えば弾性境界波を利用するタイプの弾性波フィルタであってもよい。
【実施例】
【００５２】
（実験）  
図１、図２１に夫々示すＳＡＷフィルタ１、１００を作成し、夫々についてのフィルタ特性を測定した。  
（実施例）  
図１に示したＳＡＷフィルタ１のフィルタ特性を測定した。  
設計条件  
圧電基板：ＬｉＴａＯ３ 
第１のＬＣＭＲ２側の中央電極２１の電極指数：６３本  
第２のＬＣＭＲ３側の中央電極３１の電極指数：６３本  
各外側電極２２ａ、２２ｂ、３２ａ、３１ｂの電極指数  
：３３本  
電極指間隔：ｄ１＝ｄ２＝０．５４μｍ  
通過帯域：１．８０５ＧＨｚ〜１．８８０ＧＨｚ
（比較例）  
図２１に示したＳＡＷフィルタ１００のフィルタ特性を測定した。  
設計条件  
圧電基板：ＬｉＴａＯ３ 
第１のＬＣＭＲ２側の中央電極２１の電極指数：６３本  
第２のＬＣＭＲ３側の中央電極３１の電極指数：６３本  
各外側電極２２ａ、２２ｂ、３２ａ、３１ｂの電極指数  
：３３本  
電極指間隔：ｄ１＝ｄ２＝０．５４μｍ  
通過帯域：１．８０５ＧＨｚ〜１．８８０ＧＨｚ
【００５３】
（実験結果）  
（実施例）の測定結果を図１４〜図１６に示し、（比較例）の結果を図１７〜１９に示す。図１４、図１７は各ＳＡＷフィルタ１、１００の振幅バランスの周波数特性を示しており、横軸は周波数、縦軸は「Ｓ２１−Ｓ３１（ｄＢ）」である。図１５、図１８は各ＳＡＷフィルタ１、１００の位相バランスの周波数特性を示しており、横軸は周波数、縦軸は「｜ａｎｇ（Ｓ２１）−ａｎｇ（Ｓ３１）｜−１８０（ｄｅｇ）」である。また図１６、図１９は各ＳＡＷフィルタ１、１００の挿入損失の周波数特性を示しており、横軸は周波数、縦軸は挿入損失（ｄＢ）である。
【００５４】
（実施例）の結果によれば、通過帯域である１．８０５ＧＨｚ〜１．８８０ＧＨｚの範囲内においてＳＡＷフィルタ１の振幅バランスの最大値は絶対値で０．８９０ｄＢであった。またこの範囲内での位相バランスの最大値は絶対値で７．３９ｄｅｇであり、ＳＡＷフィルタ１の挿入損失は最大−１．８２５ｄＢであった。
【００５５】
（比較例）の結果によれば、通過帯域である１．８０５ＧＨｚ〜１．８８０ＧＨｚの範囲内においてＳＡＷフィルタ１００の振幅バランスの最大値は絶対値で１．０６２ｄＢであり、位相バランスの最大値は絶対値で１２．４４ｄｅｇであった。また、ＳＡＷフィルタ１００の挿入損失は最大−２．０２２ｄＢであった。
【００５６】
以上の結果から（実施例）におけるＳＡＷフィルタ１、（比較例）におけるＳＡＷフィルタ１００の性能を比較すると、いずれについても（実施例）に係るＳＡＷフィルタ１の振幅バランス、位相バランスが良好であり、ＳＡＷフィルタ１からは、ＳＡＷフィルタ１００と比較して振幅や位相の揃った平衡信号が２つのＬＣＭＲ２、３から出力されているといえる。また、振幅バランスの最大値、位相バランスの最大値共にＳＡＷフィルタ１の方が小さくなっており、周波数信号の通過帯域内で安定して良好な振幅バランス、位相バランスを発揮できるといえる。また、挿入損失においても（実施例）におけるＳＡＷフィルタ１の方が（比較例）のＳＡＷフィルタ１００よりも優れた値を示している。
【図面の簡単な説明】
【００５７】
【図１】第１の実施の形態に係るＳＡＷフィルタの構成を示す平面図である。
【図２】上記ＳＡＷフィルタの中央電極の構成を示す拡大平面図である。
【図３】従来型のＳＡＷフィルタと実施の形態に係るＳＡＷフィルタとに係る中央電極の構成の相違を示す拡大平面図である。
【図４】上記ＳＡＷフィルタにて周波数信号の不平衡-平衡変換が行われる原理を示した説明図である。
【図５】第２の実施の形態に係るＳＡＷフィルタの構成を示す平面図である。
【図６】第３の実施の形態に係るＳＡＷフィルタの構成を示す平面図である。
【図７】上記第３の実施の形態に係るＳＡＷフィルタの中央電極の構成を示す拡大平面図である。
【図８】第４の実施の形態に係るＳＡＷフィルタの構成を示す平面図である。
【図９】第５の実施の形態に係るＳＡＷフィルタの構成を示す平面図である。
【図１０】実施の形態に係わるＳＡＷフィルタの各種変形例を示す第１の平面図である。
【図１１】実施の形態に係わるＳＡＷフィルタの各種変形例を示す第２の説明図である。
【図１２】実施の形態に係わるＳＡＷフィルタの各種変形例を示す第３の説明図である。
【図１３】実施の形態に係わるＳＡＷフィルタの各種変形例を示す第４の説明図である。
【図１４】実施例に係る振幅バランスの周波数特性を示す特性図である。
【図１５】実施例に係る位相バランスの周波数特性を示す特性図である。
【図１６】実施例に係る挿入損失の周波数特性を示す特性図である。
【図１７】比較例に係る振幅バランスの周波数特性を示す特性図である。
【図１８】比較例に係る位相バランスの周波数特性を示す特性図である。
【図１９】比較例に係る挿入損失の周波数特性を示す特性図である。
【図２０】移動体端末のフロントエンド部の構成例を示す説明図である。
【図２１】従来のバランス駆動型のＳＡＷフィルタの構成例を示す平面図である。
【図２２】上記従来型のＳＡＷフィルタにて周波数信号の不平衡-平衡変換が行われる原理を示した第１の説明図である。
【図２３】上記従来型のＳＡＷフィルタにて周波数信号の不平衡-平衡変換が行われる原理を示した第２の説明図である。
【符号の説明】
【００５８】
Ｐ０１      不平衡信号ポート
Ｐ０２      第１の平衡信号ポート
Ｐ０３      第２の平衡信号ポート
１、１ａ〜１ｐ
ＳＡＷフィルタ
２          第１のＬＣＭＲ
３          第２のＬＣＭＲ
８          フロントエンド部
２１        中央電極
２２ａ、２２ｂ
外側電極
２３ａ、２３ｂ
反射器
３１        中央電極
３２ａ、３２ｂ
外側電極
３３ａ、３３ｂ
反射器
８１        アンテナ
８２        アンテナスイッチ
８３        受信側フィルタ
８４        整合回路
８５        ＬＮＡ
８６        送信側フィルタ
８７        整合回路
８８        ＰＡ
１００      ＳＡＷフィルタ
１０１      圧電基板
１０２、１０３
ＳＡＷ
２１１、２１２
バスバー
２１３、２１４
電極指
２２１ａ、２２１ｂ、２２２ａ、２２２ｂ
バスバー
２２３ａ、２２３ｂ、２２４ａ、２２４ｂ
電極指
３１１、３１２
バスバー
３１３、３１４
電極指
３２１ａ、３２１ｂ、３２２ａ、３２２ｂ
バスバー
３２３ａ、３２３ｂ、３２４ａ、３２４ｂ
電極指
【図１】
2009239324.tif 000003
【図２】
2009239324.tif 000004
【図３】
2009239324.tif 000005
【図４】
2009239324.tif 000006
【図５】
2009239324.tif 000007
【図６】
2009239324.tif 000008
【図７】
2009239324.tif 000009
【図８】
2009239324.tif 000010
【図９】
2009239324.tif 000011
【図１０】
2009239324.tif 000012
【図１１】
2009239324.tif 000013
【図１２】
2009239324.tif 000014
【図１３】
2009239324.tif 000015
【図１４】
2009239324.tif 000016
【図１５】
2009239324.tif 000017
【図１６】
2009239324.tif 000018
【図１７】
2009239324.tif 000019
【図１８】
2009239324.tif 000020
【図１９】
2009239324.tif 000021
【図２０】
2009239324.tif 000022
【図２１】
2009239324.tif 000023
【図２２】
2009239324.tif 000024
【図２３】
2009239324.tif 000025